(57)【特許請求の範囲】
【請求項１】
被写体に放射線を照射する放射線源と、放射線を検出して電気信号を生成する放射線検出素子が二次元状に配置され、照射された放射線に応じた投影画像を取得する放射線検出器と、前記放射線源と前記放射線検出器の間に設けられ、被写体を保持する被写体台と、を備え、前記放射線源と前記放射線検出器との位置関係を変化させながら所定回数の前記投影画像の取得を行う撮影手段と、
前記撮影手段により取得された投影画像を用いて前記被写体の断層画像の生成を行う画像処理手段と、
を備える断層画像生成システムであって、
前記画像処理手段は、
前記撮影手段により取得された投影画像から放射線の高吸収体領域を抽出する抽出手段と、
前記抽出手段により抽出された高吸収体領域の大きさ及び／又は形状の特徴量を算出する特徴量算出手段と、
特徴量と補間方法とが対応付けられたテーブルを記憶する記憶手段と、
前記特徴量算出手段により算出された特徴量に基づいて、前記投影画像における前記高吸収体領域の画素を補間する際の補間方法を、前記テーブルを用いて決定する決定手段と、
前記決定手段により決定された補間方法で前記投影画像の前記高吸収体領域の補間を行う補間手段と、を備え、
前記高吸収体領域が補間された投影画像を用いて前記被写体の断層画像の生成を行う断層画像生成システム。
【請求項２】
前記画像処理手段は、前記抽出手段により抽出された高吸収体領域のみの投影画像と、前記補間手段による補間後の投影画像を別々に逆投影し、得られた２つの逆投影画像を合成して前記被写体の断層画像を生成する請求項１に記載の断層画像生成システム。
【請求項３】
前記画像処理手段は、
前記撮影手段により取得された投影画像に基づいて再構成処理を行って前記被写体の再構成画像を生成する再構成手段と、
前記再構成画像から放射線の高吸収体領域を抽出する第２の抽出手段と、
を備え、
前記補間手段による補間後の投影画像を逆投影した画像と、前記再構成画像から抽出された高吸収体領域の画像とを合成して前記被写体の断層画像を生成する請求項１に記載の断層画像生成システム。
【請求項４】
被写体に放射線を照射する放射線源と、放射線を検出して電気信号を生成する放射線検出素子が二次元状に配置され、照射された放射線に応じた投影画像を取得する放射線検出器と、前記放射線源と前記放射線検出器の間に設けられ、被写体を保持する被写体台と、を備え、前記放射線源と前記放射線検出器との位置関係を変化させながら所定回数の前記投影画像の取得を行う撮影手段と、
前記撮影手段により取得された投影画像を用いて前記被写体の断層画像の生成を行う画像処理手段と、
を備える断層画像生成システムであって、
前記画像処理手段は、
前記撮影手段により取得された投影画像に基づいて再構成処理を行って前記被写体の再構成画像を生成する再構成手段と、
前記再構成画像から放射線の高吸収体領域を抽出する抽出手段と、
前記抽出手段により抽出された高吸収体領域の大きさ及び／又は形状の特徴量を算出する特徴量算出手段と、
特徴量と補間方法とが対応付けられたテーブルを記憶する記憶手段と、
前記特徴量算出手段により算出された特徴量に基づいて、前記再構成画像における前記高吸収体領域の画素を補間する際の補間方法を、前記テーブルを用いて決定する決定手段と、
前記決定手段により決定された補間方法で前記再構成画像の前記高吸収体領域の補間を行う補間手段と、を備え、
前記高吸収体領域が補間された再構成画像を投影し、前記撮影手段により得られた投影画像の前記高吸収体領域の画素値を前記高吸収体領域が補間された再構成画像を投影した画像の前記高吸収体領域の画素値で置き換えた投影画像を用いて前記被写体の断層画像の生成を行う断層画像生成システム。
【請求項５】
前記画像処理手段は、
前記再構成画像における高吸収体領域のみを投影して前記投影画像における高吸収体領域の位置を算出する算出手段を備え、
前記高吸収体領域が補間された再構成画像を投影し、前記撮影手段により得られた投影画像の前記算出手段により算出された高吸収体領域の位置の画素値を前記高吸収体領域が補間された再構成画像を投影した画像の前記高吸収体領域の画素値で置き換え、画素値の置き換え後の投影画像を逆投影し、得られた逆投影画像と、前記抽出手段により再構成画像から抽出された高吸収体領域の画像とを合成して前記被写体の断層画像を生成する請求項４に記載の断層画像生成システム。
【請求項６】
放射線源と放射線検出器との間に被写体を配置して前記放射線源と前記放射線検出器との位置関係を変化させながら所定回数の投影画像の取得を行うことにより取得された投影画像を用いて前記被写体の断層画像の生成を行う画像処理装置であって、
前記撮影手段により取得された投影画像から放射線の高吸収体領域を抽出する抽出手段と、
前記抽出手段により抽出された高吸収体領域の大きさ及び／又は形状の特徴量を算出する特徴量算出手段と、
特徴量と補間方法とが対応付けられたテーブルを記憶する記憶手段と、
前記特徴量算出手段により算出された特徴量に基づいて、前記投影画像における前記高吸収体領域の画素を補間する際の補間方法を、前記テーブルを用いて決定する決定手段と、
前記決定手段により決定された補間方法で前記投影画像の前記高吸収体領域の補間を行う補間手段と、を備え、
前記高吸収体領域が補間された投影画像を用いて前記被写体の断層画像の生成を行う画像処理装置。
【請求項７】
放射線源と放射線検出器との間に被写体を配置して前記放射線源と前記放射線検出器との位置関係を変化させながら所定回数の投影画像の取得を行うことにより取得された投影画像を用いて前記被写体の断層画像の生成を行う画像処理装置であって、
前記撮影手段により取得された投影画像に再構成処理を施して再構成画像を生成する再構成手段と、
前記再構成画像から放射線の高吸収体領域を抽出する抽出手段と、
前記抽出手段により抽出された高吸収体領域の大きさ及び／又は形状の特徴量を算出する特徴量算出手段と、
特徴量と補間方法とが対応付けられたテーブルを記憶する記憶手段と、
前記特徴量算出手段により算出された特徴量に基づいて、前記再構成画像における前記高吸収体領域の画素を補間する際の補間方法を、前記テーブルを用いて決定する決定手段と、
前記決定手段により決定された補間方法で前記再構成画像の前記高吸収体領域の補間を行う補間手段と、を備え、
前記高吸収体領域が補間された再構成画像を投影し、前記撮影手段により得られた投影画像の前記高吸収体領域の画素値を前記高吸収体領域が補間された再構成画像を投影した画像の前記高吸収体領域の画素値で置き換えた投影画像を用いて前記被写体の断層画像の生成を行う画像処理装置。
【発明の詳細な説明】
【技術分野】
【０００１】
本発明は、断層画像生成システム及び画像処理装置に関する。
【背景技術】
【０００２】
従来、医療の分野では、トモシンセシス撮影やＣＴ（Computed Tomography）撮影によって被写体を放射線撮影し、得られた投影画像を再構成して被写体の断層画像を生成する技術が知られている。
【０００３】
しかしながら、被写体に金属等の放射線の吸収係数（質量吸収係数）の非常に高い高吸収体（以下、高吸収体と呼ぶ）が含まれると、断層画像上に、筋状のストリークアーチファクトや、ビームハードニングに起因して高吸収体の周囲が黒く潰れるアーチファクトが生じてしまう。
【０００４】
そこで、例えば、特許文献１には、ＦＢＰ（Filtered Back Projection）法において投影画像から断層画像を再構成する際に、フィルター対象画素と周囲の画素との差分値と閾値との比較結果によってフィルターの形状を変えてＦＢＰ法による再構成を行うことでストリークアーチファクトを低減する技術が記載されている。ＦＢＰ法においては高周波を増幅するフィルターで投影画像をフィルター処理してからバックプロジェクションを行うが、高吸収体を高周波を増幅するフィルターに通すとアーチファクトが目立つので、特許文献１では高吸収体に対してフィルターの形状を変えて高吸収物体には高周波を強めないようにしている。
【０００５】
また、特許文献２には、投影画像において金属領域の両端の境界値を用いて金属領域を補間し、ＦＢＰ法により再構成を行うことが記載されている。
【先行技術文献】
【特許文献】
【０００６】
【特許文献１】特開２０１３−１４４０９７号公報
【特許文献２】特開２０１０−９９１１４号公報
【発明の概要】
【発明が解決しようとする課題】
【０００７】
しかしながら、特許文献１に記載の技術では、閾値の大きさによってはストリークアーチファクトが低減しきれない場合がある。また、ビームハードニング起因のアーチファクトには効果がない。
【０００８】
また、特許文献２に記載の技術では、補間に金属領域の両端の情報しか用いていないため、補間が不自然になる可能性があり、精度よくアーチファクトを低減することができない。
【０００９】
本発明の課題は、投影画像に含まれる金属等の高吸収体に起因して発生する断層画像上のアーチファクトを処理時間を考慮しながら精度よく低減できるようにすることである。
【課題を解決するための手段】
【００１０】
上記課題を解決するため、請求項１に記載の発明は、
被写体に放射線を照射する放射線源と、放射線を検出して電気信号を生成する放射線検出素子が二次元状に配置され、照射された放射線に応じた投影画像を取得する放射線検出器と、前記放射線源と前記放射線検出器の間に設けられ、被写体を保持する被写体台と、を備え、前記放射線源と前記放射線検出器との位置関係を変化させながら所定回数の前記投影画像の取得を行う撮影手段と、
前記撮影手段により取得された投影画像を用いて前記被写体の断層画像の生成を行う画像処理手段と、
を備える断層画像生成システムであって、
前記画像処理手段は、
前記撮影手段により取得された投影画像から放射線の高吸収体領域を抽出する抽出手段と、
前記抽出手段により抽出された高吸収体領域の大きさ及び／又は形状の特徴量を算出する特徴量算出手段と、
特徴量と補間方法とが対応付けられたテーブルを記憶する記憶手段と、
前記特徴量算出手段により算出された特徴量に基づいて、前記投影画像における前記高吸収体領域の画素を補間する際の補間方法を、前記テーブルを用いて決定する決定手段と、
前記決定手段により決定された補間方法で前記投影画像の前記高吸収体領域の補間を行う補間手段と、を備え、
前記高吸収体領域が補間された投影画像を用いて前記被写体の断層画像の生成を行う。
【００１１】
請求項２に記載の発明は、請求項１に記載の発明において、
前記画像処理手段は、前記抽出手段により抽出された高吸収体領域のみの投影画像と、前記補間手段による補間後の投影画像を別々に逆投影し、得られた２つの逆投影画像を合成して前記被写体の断層画像を生成する。
【００１２】
請求項３に記載の発明は、請求項１に記載の発明において、
前記画像処理手段は、
前記撮影手段により取得された投影画像に基づいて再構成処理を行って前記被写体の再構成画像を生成する再構成手段と、
前記再構成画像から放射線の高吸収体領域を抽出する第２の抽出手段と、
を備え、
前記補間手段による補間後の投影画像を逆投影した画像と、前記再構成画像から抽出された高吸収体領域の画像とを合成して前記被写体の断層画像を生成する。
【００１３】
請求項４に記載の発明は、
被写体に放射線を照射する放射線源と、放射線を検出して電気信号を生成する放射線検出素子が二次元状に配置され、照射された放射線に応じた投影画像を取得する放射線検出器と、前記放射線源と前記放射線検出器の間に設けられ、被写体を保持する被写体台と、を備え、前記放射線源と前記放射線検出器との位置関係を変化させながら所定回数の前記投影画像の取得を行う撮影手段と、
前記撮影手段により取得された投影画像を用いて前記被写体の断層画像の生成を行う画像処理手段と、
を備える断層画像生成システムであって、
前記画像処理手段は、
前記撮影手段により取得された投影画像に基づいて再構成処理を行って前記被写体の再構成画像を生成する再構成手段と、
前記再構成画像から放射線の高吸収体領域を抽出する抽出手段と、
前記抽出手段により抽出された高吸収体領域の大きさ及び／又は形状の特徴量を算出する特徴量算出手段と、
特徴量と補間方法とが対応付けられたテーブルを記憶する記憶手段と、
前記特徴量算出手段により算出された特徴量に基づいて、前記再構成画像における前記高吸収体領域の画素を補間する際の補間方法を、前記テーブルを用いて決定する決定手段と、
前記決定手段により決定された補間方法で前記再構成画像の前記高吸収体領域の補間を行う補間手段と、を備え、
前記高吸収体領域が補間された再構成画像を投影し、前記撮影手段により得られた投影画像の前記高吸収体領域の画素値を前記高吸収体領域が補間された再構成画像を投影した画像の前記高吸収体領域の画素値で置き換えた投影画像を用いて前記被写体の断層画像の生成を行う。
【００１４】
請求項５に記載の発明は、請求項４に記載の発明において、
前記画像処理手段は、
前記再構成画像における高吸収体領域のみを投影して前記投影画像における高吸収体領域の位置を算出する算出手段を備え、
前記高吸収体領域が補間された再構成画像を投影し、前記撮影手段により得られた投影画像の前記算出手段により算出された高吸収体領域の位置の画素値を前記高吸収体領域が補間された再構成画像を投影した画像の前記高吸収体領域の画素値で置き換え、画素値の置き換え後の投影画像を逆投影し、得られた逆投影画像と、前記抽出手段により再構成画像から抽出された高吸収体領域の画像とを合成して前記被写体の断層画像を生成する。
【００１５】
請求項６に記載の発明は、
放射線源と放射線検出器との間に被写体を配置して前記放射線源と前記放射線検出器との位置関係を変化させながら所定回数の投影画像の取得を行うことにより取得された投影画像を用いて前記被写体の断層画像の生成を行う画像処理装置であって、
前記撮影手段により取得された投影画像から放射線の高吸収体領域を抽出する抽出手段と、
前記抽出手段により抽出された高吸収体領域の大きさ及び／又は形状の特徴量を算出する特徴量算出手段と、
特徴量と補間方法とが対応付けられたテーブルを記憶する記憶手段と、
前記特徴量算出手段により算出された特徴量に基づいて、前記投影画像における前記高吸収体領域の画素を補間する際の補間方法を、前記テーブルを用いて決定する決定手段と、
前記決定手段により決定された補間方法で前記投影画像の前記高吸収体領域の補間を行う補間手段と、を備え、
前記高吸収体領域が補間された投影画像を用いて前記被写体の断層画像の生成を行う。
【００１６】
請求項７に記載の発明は、
放射線源と放射線検出器との間に被写体を配置して前記放射線源と前記放射線検出器との位置関係を変化させながら所定回数の投影画像の取得を行うことにより取得された投影画像を用いて前記被写体の断層画像の生成を行う画像処理装置であって、
前記撮影手段により取得された投影画像に再構成処理を施して再構成画像を生成する再構成手段と、
前記再構成画像から放射線の高吸収体領域を抽出する抽出手段と、
前記抽出手段により抽出された高吸収体領域の大きさ及び／又は形状の特徴量を算出する特徴量算出手段と、
特徴量と補間方法とが対応付けられたテーブルを記憶する記憶手段と、
前記特徴量算出手段により算出された特徴量に基づいて、前記再構成画像における前記高吸収体領域の画素を補間する際の補間方法を、前記テーブルを用いて決定する決定手段と、
前記決定手段により決定された補間方法で前記再構成画像の前記高吸収体領域の補間を行う補間手段と、を備え、
前記高吸収体領域が補間された再構成画像を投影し、前記撮影手段により得られた投影画像の前記高吸収体領域の画素値を前記高吸収体領域が補間された再構成画像を投影した画像の前記高吸収体領域の画素値で置き換えた投影画像を用いて前記被写体の断層画像の生成を行う。
【発明の効果】
【００１７】
本発明によれば、投影画像に含まれる金属等の高吸収体に起因して起こる断層画像上のアーチファクトを処理時間を考慮しながら精度よく低減することが可能となる。
【図面の簡単な説明】
【００１８】
【図１】本実施形態に係る断層画像生成システムの全体構成を示す図である。
【図２】トモシンセシス撮影を説明するための図である。
【図３】図１のコンソールの機能的構成を示すブロック図である。
【図４】図３の制御部により実行される断層画像生成処理Ａを示すフローチャートである。
【図５】高吸収体領域を含む投影画像の一例である。
【図６】図５に示す投影画像から高吸収体領域のみが抽出された投影画像の一例である。
【図７】Image Inpaintingで補間することが好ましい画像の一例である。
【図８】線形補間等の、処理時間が短い補間方法が好ましい画像の例である。
【図９】図５の高吸収体領域が補間された投影画像の一例である。
【図１０】（ａ）は、図５に示す投影画像をそのまま再構成することにより生成された断層画像、（ｂ）は、図５に示す投影画像に上述の断層画像生成処理Ａを施すことによって生成された断層画像の一例である。
【図１１】図３の制御部により実行される断層画像生成処理Ｂを示すフローチャートである。
【図１２】図３の制御部により実行される断層画像生成処理Ｃを示すフローチャートである。
【発明を実施するための形態】
【００１９】
以下、添付図面を参照して本発明に係る好適な実施形態を詳細に説明する。なお、本発明は、図示例に限定されるものではない。
【００２０】
＜第１の実施形態＞
［断層画像生成システム１００の構成］
まず、本発明の第１の実施形態に係る断層画像生成システム１００の概略構成について説明する。断層画像生成システム１００は、被写体Ｈ（人体の部位）をトモシンセシス撮影することにより得られた投影画像を用いて被写体Ｈの断層画像を生成するシステムである。図１に、本実施形態に係る断層画像生成システム１００の概略構成を示す。図１に示すように、断層画像生成システム１００は、主に、放射線撮影装置１やコンソール９０等で構成されている。
なお、以下の説明において、被写体台５４の長手方向（被写体台５４に配置された被写体Ｈの体軸方向）をｙ軸方向、撮影面（放射線が照射される面）においてｙ軸方向と直交する方向をｘ軸方向、放射線照射方向（被写体Ｈの厚さ方向）をｚ軸方向として説明する。
【００２１】
断層画像生成システム１００は、撮影室１０１ａや前室（操作室等ともいう。）１０１ｂの内外に設けられるようになっている。撮影室１０１ａ内には、放射線撮影装置１の撮影台５０、放射線源６１等が設けられている。また、撮影室１０１ａ内には、放射線検出器Ｆと後述するコンソール９０との間の無線通信を中継するためのアクセスポイントＡＰ等も設けられている。
【００２２】
また、前室１０１ｂには、放射線照射装置６０の操作卓６２や曝射スイッチ６３等が設けられている。また、図１では、制御ＢＯＸ８０やコンソール９０等が前室１０１ｂの外に設けられている場合が示されているが、それらを前室１０１ｂ内等に設けることも可能である。
【００２３】
撮影手段としての放射線撮影装置１は、図１に示すように、放射線検出器Ｆと、放射線検出器Ｆ及び被写体Ｈを保持する撮影台５０と、放射線照射装置６０と、を備えて構成されている。なお、図１においては、一例として、臥位で被写体Ｈを撮影する放射線撮影装置１を側面から見た図を示している。
【００２４】
放射線検出器Ｆは、ＦＰＤ（Flat Panel Detector）等の半導体イメージセンサーによ
り構成される。ＦＰＤは、例えば、ガラス基板等を有しており、基板上の所定位置に、放射線源６１から照射されて少なくとも被写体Ｈを透過した放射線（Ｘ線）をその強度に応じて検出し、検出した放射線を電気信号に変換して蓄積する複数の検出素子（画素）がマトリックス状に配列されている。各画素は、例えばＴＦＴ（Thin Film Transistor）等のスイッチング部を備えて構成されており、当該各画素に蓄積された電気信号の読み取りをスイッチング部によりスイッチングしていき、放射線検出器Ｆに蓄積された電気信号を読み取ることにより、被写体Ｈの投影画像を取得する。なお、ＦＰＤには放射線をシンチレーターを介して光電変換素子により電気信号に変換する間接変換型、放射線を直接的に電気信号に変換する直接変換型があるが、何れを用いてもよい。
投影画像の各画素の値（信号値）は、放射線検出器Ｆに到達した放射線強度を電気信号に変換した値、即ち、放射線検出器Ｆに到達した放射線強度に相関する値であり、到達した放射線強度が高いほど信号値は大きくなる。また、本実施形態においては、投影画像の信号値が大きいほど黒く（高い濃度で）描出される。
放射線検出器Ｆは、ネットワークＮ１及び制御ＢＯＸ８０を介してコンソール９０と通信を行う機能、アクセスポイントＡＰを介してコンソール９０と通信を行うための無線通信機能を備えている。
【００２５】
撮影台５０は、検出器装填部５１、装填部支持部５２、搬送装置５３、被写体台５４等を備えて構成されている。
検出器装填部５１は、放射線検出器Ｆを保持する。
装填部支持部５２は、被写体台５４の被写体Ｈを載置する面とは反対の面の側に、被写体台５４の長手方向（被写体Ｈの体軸方向。ｙ軸方向。）に移動可能に設けられ、検出器装填部５１を支持する。
搬送装置５３は、図示を省略するが、例えば、駆動モーター等を備え、駆動モーターの回転力をラックアンドピニオンで装填部支持部５２に伝えて、装填部支持部５２を被写体台５４の長手方向（ｙ軸方向）に移動させる。なお、搬送装置５３は、装填部支持部５２を被写体台５４の長手方向に移動させることができるものであれば、どのような構成や機構等でも採用することが可能であり、上記のラックアンドピニオンを用いた構成等に限定されない。例えばアクチュエーター等の直線的な動きを装填部支持部５２に伝達して装填部支持部５２を移動させるように構成することも可能である。
被写体台５４は、放射線源６１の放射線照射方向に設けられた被写体Ｈを支持する台であり、アクリル板等の樹脂性の板や、カーボン板等の無機材料からなる板、或いは金属板等で構成されている。被写体台５４には、被写体台５４の長手方向（ｙ軸方向）に沿って装填部支持部５２を移動させるためのガイド（図示せず）が設けられている。
【００２６】
放射線照射装置６０は、被写体Ｈを介して放射線検出器Ｆに放射線を照射する放射線源６１と、放射線技師等の撮影者が管電流や管電圧、照射時間等の撮影条件を設定可能な操作卓６２と、撮影者が操作して放射線源６１からの放射線の照射を指示する曝射スイッチ６３と、放射線源６１を被写体台５４における被写体Ｈの体軸方向に沿って（ｙ軸方向に）移動させるとともに、移動させた位置で放射線源６１から照射する放射線が放射線検出器Ｆに照射されるように放射線源６１の照射角度をその位置によって傾ける放射線源移動機構６４等を備えて構成されている。放射線照射装置６０は、制御ＢＯＸ８０を介してコンソール９０から、又は操作卓６２により撮影条件が設定され、曝射スイッチ６３が押下されると、曝射スイッチ６３の押下信号をコンソール９０に送信し、コンソール９０からの制御信号に基づいて、設定された撮影条件で放射線源移動機構６４により放射線源６１を移動させつつ放射線源６１に放射線を照射させる。
また、放射線源６１の放射線照射方向には、放射線源６１から照射された放射線の照射領域を制限するコリメーター７５が設けられている。
【００２７】
本実施形態では、放射線照射装置６０の放射線源６１として、被写体Ｈや放射線検出器Ｆに向けて放射線を円錐状に照射する放射線源、すなわちいわゆるコーンビームを照射する放射線源が用いられているが、放射線源６１を支点として扇のように略平面状に拡がる放射線（すなわちいわゆるファンビーム）を照射する放射線源を用いるように構成することも可能である。ファンビームを照射する放射線源を用いる場合には、当該一定方向にファンビームが拡がるように放射線源から放射線が照射される。
【００２８】
放射線源移動機構６４と搬送装置５３は、後述する制御ＢＯＸ８０を介してコンソール９０から送信される制御信号に応じて、互いに同期して、放射線源６１と装填部支持部５２とを回転中心Ｏ（図２参照）を中心として被写体台５４に沿って（即ち、ｙ軸方向に）互いに反対方向に移動させることにより、図２に示すように、放射線源６１と放射線検出器Ｆとを互いに反対方向に移動させる。
【００２９】
上記構成の放射線撮影装置１は、放射線源６１と放射線検出器Ｆとが同期して予め定められた撮影スタート位置から終了位置に反対方向に移動する間に、所定回数（複数回）のトモシンセシス撮影を行い、撮影ごとに放射線検出器Ｆで投影画像を取得するように構成されている。このとき、放射線源６１の光軸が放射線検出器Ｆの中央に照射されるように構成されている。
【００３０】
その際、例えば、放射線源６１から放射線を途切れることなく連続的に照射し、その間に放射線検出器Ｆが所定回数の投影画像の取得処理を行うように構成することが可能である。或いは、放射線源６１から放射線を所定回数照射（パルス照射）して、放射線が照射されるごとに放射線検出器Ｆで投影画像を取得するように構成してもよい。
【００３１】
なお、放射線検出器Ｆは、投影画像を取得するごとに、制御ＢＯＸ８０を介して画像処理装置としてのコンソール９０に取得した投影画像を送信するように構成してもよく、また、取得した各投影画像を一旦図示しない記憶部に保存しておき、所定回数の投影画像の取得処理が終了した時点で各投影画像をまとめてコンソール９０に送信するように構成することも可能である。
【００３２】
制御ＢＯＸ（中継器等ともいう。）８０は、ネットワークＮ１を介して放射線撮影装置１の各部や、検出器装填部５１に装填された放射線検出器Ｆ、コンソール９０等と接続されている。制御ＢＯＸ８０には、コンソール９０等から放射線照射装置６０に送信するＬＡＮ（Local Area Network）通信用の信号等を放射線照射装置６０用の信号等に変換したり、また、その逆の変換も行う図示しない変換器が内蔵されている。
【００３３】
コンソール９０は、図３に示すように、制御部９１、操作部９２、表示部９３、通信部９４、記憶部９５を備えて構成され、各部がバス９６により接続されて構成されたコンピューター装置である。
【００３４】
制御部９１は、ＣＰＵ、ＲＡＭ等により構成される。制御部９１のＣＰＵは、記憶部９５に記憶されているシステムプログラムや処理プログラム等の各種プログラムを読み出してＲＡＭに展開し、展開されたプログラムに従って後述する断層画像生成処理Ａを始めとする各種処理を実行する。制御部９１は、記憶部９５に記憶されているプログラムとの協働により、画像処理手段、抽出手段、特徴量算出手段、決定手段、補間手段として機能する。
【００３５】
操作部９２は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部９１に出力する。
【００３６】
表示部９３は、例えば、ＣＲＴ（Cathode Ray Tube）やＬＣＤ（Liquid Crystal Display）等のモニターを備えて構成されており、制御部９１から入力される表示信号の指示に従って、各種画面を表示する。
【００３７】
通信部９４は、ＬＡＮカード等により構成され、スイッチングハブを介してネットワークＮ１、Ｎ２に接続された外部機器との間でデータの送受信を行う。
【００３８】
記憶部９５は、例えばＨＤＤ（Hard Disk Drive）や半導体の不揮発性メモリ等で構成されている。記憶部９５には、前述のようにシステムプログラムや各種処理プログラムが記憶されている。
【００３９】
また、記憶部９５には、放射線検出器Ｆから受信した投影画像を記憶する投影画像記憶部９５１、生成した断層画像を記憶する断層画像記憶部９５２等が設けられている。
更に、記憶部９５には、受付された患者の患者情報等が記憶されている。
【００４０】
コンソール９０は、通信部９４により例えばアクセスポイントＡＰや制御ＢＯＸ８０を介して放射線検出器Ｆに覚醒信号を送信して放射線検出器Ｆをスリープ（sleep）状態から覚醒（wake up）状態に遷移させる等して放射線検出器Ｆを制御したり、放射線技師等の撮影者が操作部９２により設定した管電流等を、制御ＢＯＸ８０を介して放射線照射装置６０に送信して設定したり、制御ＢＯＸ８０を介して搬送装置５３及び放射線源移動機構６４を制御することができるようになっている。
【００４１】
また、本実施形態では、コンソール９０は、画像処理装置としても機能するようになっており、放射線検出器Ｆが取得した投影画像が放射線撮影装置１から送信されてくると、受信した投影画像に基づいて被写体Ｈの断層画像（図１に一点鎖線で示す断面の二次元断層画像）を生成するようになっている。なお、画像処理装置を、コンソール９０とは別体の装置として構成することも可能である。
【００４２】
さらに、図１に示すように、コンソール９０には、ネットワークＮ２を介してアクセスポイントＡＰが接続されている。また、コンソール９０は、ネットワークＮ２を介して図示しないＨＩＳ（Hospital Information System；病院情報システム）やＲＩＳ（Radiology Information System；放射線科情報システム）、ＰＡＣＳ（Picture Archiving and Communication System；医用画像診断支援システム）等に接続されている。そして、コンソール９０は、撮影対象の患者の撮影部位、撮影方向等の撮影オーダー情報をＨＩＳやＲＩＳ等から取得したり、生成した断層画像をＰＡＣＳに送信したりするなど各種の処理を行うように構成されている。
【００４３】
なお、各装置等を結ぶネットワークを、本実施形態のように複数のネットワークＮ１、Ｎ２で分けて構成する必要はなく、各装置を１つのネットワークに接続して断層画像生成システム１００を構成することも可能である。また、各装置を結ぶネットワークとして本実施形態のように複数のネットワークを用いる場合、どの装置をいずれのネットワークに接続するかは適宜変更可能である。
【００４４】
［断層画像生成システム１００の動作］
次に、本実施形態における断層画像生成システム１００の動作について説明する。
断層画像生成システム１００においては、コンソール９０の制御部９１が以下に説明する断層画像生成処理Ａを実行することにより、放射線撮影装置１の各部を制御して放射線源６１及び放射線検出器Ｆを移動させながら所定回数の撮影を行わせ、得られた一連の投影画像に基づいて被写体Ｈの断層画像を生成する。
【００４５】
図４に、コンソール９０の制御部９１により実行される断層画像生成処理Ａのフローチャートを示す。断層画像生成処理Ａは、制御部９１と記憶部９５に記憶されているプログラムとの協働により実行される。
【００４６】
まず、制御部９１は、トモシンセシス撮影を行い、被写体Ｈの複数の投影画像を取得する（ステップＳ１）。具体的に、操作部９２により患者が選択され、曝射スイッチ６３が押下されると、制御部９１は、制御ＢＯＸ８０を介して放射線撮影装置１の各装置を制御して、放射線源６１及び放射線検出器Ｆを回転中心Ｏを中心に被写体Ｈの体軸方向に沿って反対方向に移動させて所定回数の撮影を行わせる。撮影により得られた一連の投影画像は、放射線検出器Ｆによりコンソール９０に送信される。コンソール９０においては、通信部９４により受信した一連の投影画像を投影画像記憶部９５１に記憶する。
【００４７】
次いで、制御部９１は、取得した各投影画像から高吸収体領域を抽出する（ステップＳ２）。
図５に、高吸収体領域を含む投影画像の一例を示す。例えば、被写体Ｈの体内に、金属製のボルトや人工関節等が埋め込まれていると、これらは放射線の吸収係数の非常に高い高吸収体であるため、図５のＲ０に示すように、投影画像上においては、その領域の画素値が低く（白く）描写される。ステップＳ２においては、この白い高吸収体領域を抽出する。高吸収体領域の抽出方法としては、例えば、二値化処理やグラフカット処理等により行うことができる。また、抽出精度を上げるために、予め投影画像に散乱線補正処理等の各種補正処理を施すこととしてもよい。図６に、図５に示す投影画像から高吸収体領域のみが抽出された投影画像の一例を示す。
【００４８】
次いで、制御部９１は、抽出した高吸収体領域にラベリング処理を行い、高吸収体領域毎に番号を付与する（ステップＳ３）。複数の投影画像において同じ高吸収体を表す領域には同じ番号を付与する。
【００４９】
次いで、制御部９１は、ラベリングされた各高吸収体領域の大きさ及び／又は形状を示す特徴量を算出する（ステップＳ４）。ここで算出する特徴量としては、例えば、画素数、円周長、縦横比、円形度等が挙げられる。また、複数の投影画像の各高吸収体領域から画素数、周囲長、縦横比、円形度等を求め、同一番号が付与された高吸収体領域の変化率（例えば、真上から被写体を撮影した投影画像の特徴量と、真横から被写体を撮影した投影画像の特徴量との変化率）を特徴量としてもよい。また、投影画像に写る高吸収体は、例えば、人体内に埋め込まれたボルト等、予め大きさや形状が決まっている場合も多い。そこで、予め記憶部９５に高吸収体の形状（例えば、Ｔ字、Ｕ字等）や大きさを登録（記憶）しておき、表示部９３に表示された投影画像を見て予め登録された中からユーザーが選択することとしてもよい。
【００５０】
次いで、制御部９１は、算出した特徴量に基づいて、各高吸収体領域の補間方法を決定する（ステップＳ５）。
ここで、金属等の高吸収体領域が投影画像に含まれていると、当該投影画像に基づいて生成した断層画像にストリークアーチファクトやビームハードニング起因のアーチファクトが発生してしまう。そこで、本実施形態においては、（１）投影画像における高吸収体領域を周囲の画素で補間して高吸収体領域のない投影画像を生成し、逆投影を行う。また、（２）投影画像から高吸収体領域のみを抽出して逆投影を行う。そして、（１）、（２）により得られた２つの逆投影画像を合成して被写体Ｈの断層画像を生成する。ステップＳ５においては、投影画像における各高吸収体領域を周囲の画素で補間する際の補間方法を決定する。例えば、高吸収体領域の大きさや形状を示す各特徴量の数値範囲又は各特徴量の数値範囲の組み合わせ毎に、実験的経験的に定められた最適な補間方法を対応付けたテーブルを予め記憶部９５に記憶しておき、算出された特徴量又はその組み合わせに基づいて補間方法を決定する。
【００５１】
補間方法としては、例えば、線形補間、多項式補間、スプライン補間、Image Inpainting［1］、Image Inpainting Technique Based on the Fast Marching［1］、Exemplar Based Image Inpainting［1］、Image Inpainting Based On Local Optimisation［1］、Simultaneous Structure and Texture Image Inpainting［2］等が挙げられる（文献[1]：Willy Mai, Brian Xi Chen, Image Inpainter COMP9517 Major Project, 19th October 2010，［online］、［平成26年12月3日検索］、インターネット（URL:http://www.hypernewbie.com/software/inpainter/Report.pdf）、文献［2］：IEEE TRANSACTIONS ON IMAGE PROCESSING, VOL. 12, NO. 8, AUGUST 2003］）。
【００５２】
例えば、図７においてＲ１で示すようなボルト等の細長い（縦横比が大きい）金属による高吸収体領域には、Image Inpaintingのような引っかき傷に強い補間方法に決定する。これにより、補間の精度を向上させることができる。Exemplar Based Image Inpaintingのようなより高精度な補間方法に決定してもよい。Image Inpaintingは線形補間等に比べると演算時間がかかるが、図７のような細長い金属の高吸収体領域は面積が大きくないため、それほど多くの演算時間はかからない。
一方、図８（ａ）、（ｂ）にＲ２やＲ３で示すような面積のある人工関節に対してImage Inpainting等を用いると、演算時間が長くかかってしまうため、線形補間等の処理時間が短い補間方法に決定する。これにより、補間の精度は落ちるが処理時間を少なくすることができる。
このように、高吸収体領域の形状及び／又は大きさを示す特徴量に基づいて補間方法を決定することで、処理時間を考慮しながら高吸収体領域の形状に対して精度良く補間できる補間方法を決定することができる。
【００５３】
なお、高吸収体領域の大きさ及び形状の双方の特徴量を算出し、双方の特徴量に基づいて補間方法を決定することが好ましいが、大きさ又は形状の何れかの特徴量を算出して、算出した特徴量に基づいて補間方法を決定することとしてもよい。
【００５４】
次いで、制御部９１は、各投影画像において、各高吸収体領域に決定された補間方法で各高吸収体領域の画素を補間する処理を行う（ステップＳ６）。図９に、高吸収体領域が補間された投影画像の一例を示す。
【００５５】
次いで、制御部９１は、投影画像から高吸収体領域のみを抽出した画像と（図６参照）、高吸収体領域を補間した投影画像（図９参照）を別々に逆投影し（ステップＳ７）、得られた２つの逆投影画像を合成して被写体Ｈの断層画像を生成し（ステップＳ８）、断層画像生成処理Ａを終了する。逆投影は、例えば、逐次近似画像再構成法や、ＦＢＰ法、フェルドカンプ法、シフト加算法等の公知の手法を用いて行うことができる。
生成された断層画像は、患者情報に対応付けて断層画像記憶部９５２に記憶される。
【００５６】
図１０（ａ）に、図５に示す投影画像をそのまま再構成処理することにより生成された断層画像の一例を示す。図１０（ｂ）に、図５に示す投影画像に上述の断層画像生成処理Ａを施すことによって生成された断層画像の一例を示す。図１０（ａ）に示すように、投影画像をそのまま再構成することにより得られた断層画像では、矢印で示すように高吸収体領域の周囲に黒く潰れたアーチファクトが発生している。一方、図１０（ｂ）に示すように、本実施形態の手法により生成した断層画像では、図１０（ａ）に示すアーチファクトが除去されていることがわかる。
【００５７】
このように、第１の実施形態の断層画像生成処理Ａによれば、投影画像に含まれる金属等の高吸収体領域を補間してから逆投影した画像と、投影画像の高吸収体領域を抽出した画像を逆投影した画像とを合成して被写体の断層画像を生成する。従って、投影画像に含まれる高吸収体領域に起因して発生する断層画像上のアーチファクトを低減することが可能となる。高吸収体領域の補間方法は、高吸収体領域の大きさや形状の特徴量に基づいて決定されるので、補間処理に係る時間を考慮しながら高吸収体領域の形状に応じて精度よく補間を行うことが可能となる。その結果、断層画像上のアーチファクトを精度良く低減することが可能となる。
【００５８】
＜第２の実施形態＞
次に、本発明の第２の実施形態について説明する。
第２の実施形態における構成は、第１の実施形態で説明したものと同様であるので説明を援用し、以下、第２の実施形態における動作について説明する。
【００５９】
図１１に、第２の実施形態において制御部９１により実行される断層画像生成処理Ｂのフローチャートを示す。断層画像生成処理Ｂは、制御部９１と記憶部９５に記憶されているプログラムとの協働により実行される。制御部９１は、断層画像生成処理Ｂを実行することにより、画像処理手段、抽出手段、特徴量算出手段、決定手段、補間手段、再構成手段、第２の抽出手段として機能する。
【００６０】
まず、制御部９１は、トモシンセシス撮影を行い、被写体の複数の投影画像を取得する（ステップＳ２１）。ステップＳ２１の処理はステップＳ１と同様であるので説明を援用する。
【００６１】
次いで、制御部９１は、取得した複数の投影画像に基づいて再構成処理を行い、被写体Ｈの断層画像（再構成画像）を生成する（ステップＳ２２）。再構成処理の手法としては、例えば、逐次近似画像再構成法や、ＦＢＰ法、フェルドカンプ法、シフト加算法等の公知の手法を用いることができる。
【００６２】
次いで、制御部９１は、再構成画像から高吸収体領域を抽出する（ステップＳ２３）。高吸収体領域の抽出方法としては、例えば、二値化処理やグラフカット処理等により行うことができる。また、抽出精度を上げるために、予め投影画像に散乱線補正処置等の各種補正処理を施すこととしてもよい。
【００６３】
次いで、制御部９１は、ステップＳ２３で抽出した高吸収体領域の画像のみを計算機上で、即ち演算により投影して（ステップＳ２４）、投影画像における高吸収体領域の位置を算出する（ステップＳ２５）。
【００６４】
次いで、制御部９１は、投影画像の高吸収体領域にラベリング処理を行い（ステップＳ２６）、ラベリングされた各高吸収体領域の大きさや形状を示す特徴量を算出する（ステップＳ２７）。
次いで、制御部９１は、算出した特徴量に基づいて、各高吸収体領域の補間方法を決定し（ステップＳ２８）、決定した補間方法により各投影画像の各高吸収体領域の補間を行う（ステップＳ２９）。ステップＳ２６〜ステップＳ２９の処理は、第１の実施形態のステップＳ３〜Ｓ６と同様であるので説明を援用する。
【００６５】
次いで、制御部９１は、補間した投影画像を逆投影する（ステップＳ３０）。そして、制御部９１は、逆投影により得られた画像と、ステップＳ２３で再構成画像から抽出した高吸収体領域の画像とを合成して被写体Ｈの断層画像を生成し（ステップＳ３１）、断層画像生成処理Ｂを終了する。
生成された断層画像は、患者情報に対応付けて断層画像記憶部９５２に記憶される。
【００６６】
断層画像生成処理Ｂにより、図１０（ｂ）に示すようなアーチファクトが除去された断層画像を得ることができる。
【００６７】
このように、第２の実施形態の断層画像生成処理Ｂによれば、投影画像に含まれる金属等の高吸収体領域を補間してから逆投影した画像と、投影画像に基づいて再構成処理を行うことにより得られる再構成画像から抽出した高吸収体領域の画像とを合成して被写体の断層画像を生成する。従って、投影画像に含まれる高吸収体領域に起因して発生する断層画像上のアーチファクトを低減することが可能となる。高吸収体領域の補間方法は、高吸収体領域の大きさや形状の特徴量に基づいて決定されるので、補間処理に係る時間を考慮しながら高吸収体領域の形状に応じて精度よく補間を行うことが可能となる。その結果、断層画像上のアーチファクトを精度良く低減することが可能となる。
【００６８】
＜第３の実施形態＞
次に、本発明の第３の実施形態について説明する。
第３の実施形態における構成は、第１の実施形態で説明したものと同様であるので説明を援用し、以下、第３の実施形態における動作について説明する。
【００６９】
図１２に、第３の実施形態において制御部９１により実行される断層画像生成処理Ｃのフローチャートを示す。断層画像生成処理Ｃは、制御部９１と記憶部９５に記憶されているプログラムとの協働により実行される。制御部９１は、断層画像生成処理Ｃを実行することにより、画像処理手段、再構成手段、抽出手段、特徴量算出手段、決定手段、補間手段、算出手段として機能する。
【００７０】
まず、制御部９１は、トモシンセシス撮影を行い、被写体Ｈの複数の投影画像を取得する（ステップＳ４１）。ステップＳ４１の処理はステップＳ１と同様であるので説明を援用する。
【００７１】
次いで、制御部９１は、取得した複数の投影画像に基づいて再構成処理を行い、被写体Ｈの断層画像（再構成画像）を生成する（ステップＳ４２）。再構成画像の生成には、例えば、逐次近似画像再構成法や、ＦＢＰ法、フェルドカンプ法、シフト加算法等の公知の手法を用いることができる。
【００７２】
次いで、制御部９１は、再構成画像から高吸収体領域を抽出する（ステップＳ４３）。
次いで、制御部９１は、抽出された高吸収体領域にラベリング処理を行い（ステップＳ４４）、ラベリングされた各高吸収体領域の大きさや形状を示す特徴量を算出する（ステップＳ４５）。
次いで、制御部９１は、算出した特徴量に基づいて、各高吸収体領域の補間方法を決定し（ステップＳ４６）、決定した補間方法により各再構成画像の各高吸収体領域の補間を行う（ステップＳ４７）。
ステップＳ４３〜ステップＳ４７の処理は、第１の実施形態のステップＳ２〜Ｓ６で説明した処理と処理対象が異なる（処理対象が再構成画像となる）他はステップＳ２〜Ｓ６で説明した処理内容と同様である。
【００７３】
次いで、制御部９１は、ステップＳ４３で抽出した高吸収体領域のみの再構成画像を計算機上で、即ち演算により投影して（ステップＳ４８）、投影画像における高吸収体領域の位置を算出する（ステップＳ４９）。
【００７４】
次いで、制御部９１は、高吸収体領域を補間した再構成画像を計算機上で、即ち演算により投影し、投影画像における高吸収体領域の位置の画素値を、高吸収体領域を補間した再構成画像を計算機上で投影した画像の画素値により置き換える（ステップＳ５０）。
【００７５】
そして、制御部９１は、高吸収体領域の画素値を置き換えた投影画像を逆投影し（ステップＳ５１）、逆投影した画像とステップＳ４３で抽出した高吸収体領域の画像を合成して被写体Ｈの断層画像を生成し（ステップＳ５２）、断層画像生成処理Ｃを終了する。
生成された断層画像は、患者情報に対応付けて断層画像記憶部９５２に記憶される。
【００７６】
断層画像生成処理Ｃにより、図１０（ｂ）に示すようなアーチファクトが除去された断層画像を得ることができる。
【００７７】
このように、第３の実施形態の断層画像生成処理Ｃによれば、投影画像上の高吸収体領域の画素値を、投影画像に基づいて生成した再構成画像の高吸収体領域を補間処理して投影した画像の高吸収体領域の画素値に置き換えてから逆投影し、逆投影した画像と、再構成画像から抽出した高吸収体領域とを合成して被写体の断層画像を生成する。即ち、断層画像上における高吸収体領域以外の領域にアーチファクトを発生させる原因となる高吸収体領域を投影画像から取り除いてから逆投影した画像と、投影画像に基づいて再構成処理を行うことにより得られる再構成画像から抽出した高吸収体領域の画像とを合成して被写体の断層画像を生成する。従って、投影画像に含まれる高吸収体領域に起因して発生する断層画像上のアーチファクトを低減することが可能となる。高吸収体領域の補間方法は、高吸収体領域の大きさや形状に基づいて決定されるので、補間処理に係る時間を考慮しながら高吸収体領域の形状に応じて精度よく補間を行うことが可能となる。その結果、断層画像上のアーチファクトを精度良く低減することが可能となる。
【００７８】
以上、本発明に係る第１の実施形態〜第３の実施形態及びその変形例について説明してきたが、上記実施形態及び変形例における記述内容は、本発明に係る断層画像生成システムの好適な一例であり、これに限定されるものではない。
【００７９】
例えば、上記実施形態においては、放射線検出器Ｆがいわゆる可搬型（カセッテ型等ともいう。）であり、それを、放射線撮影装置１を構成する撮影台５０の検出器装填部５１（後述する図１参照）に装填して放射線断層撮影を行う場合について説明したが、放射線検出器Ｆが可搬型でなく、撮影台５０と一体的に形成された、いわゆる専用機型の放射線検出器に対しても、本発明を適用することが可能である。
【００８０】
また、上記実施形態においては、放射線撮影装置１は臥位で撮影を行う装置として説明したが、立位の撮影を行う装置としてもよい。
【００８１】
また、上記実施形態においては、好ましい例として、放射線撮影装置１は、放射線源６１及び放射線検出器Ｆを反対方向に移動させてトモシンセシス撮影を行うものとして説明したが、放射線検出器Ｆを固定として放射線源６１を移動させる構成としてもよい。又は、放射線源６１を固定として放射線検出器Ｆを移動させる構成としてもよい。
また、本発明は、トモシンセシス撮影により得られた投影画像から断層画像を生成する場合だけでなく、ＣＴ撮影により得られた投影画像から断層画像を生成する場合についても適用することができる。
【００８２】
また、上記の説明では、本発明に係るプログラムのコンピューター読み取り可能な媒体としてハードディスクや半導体の不揮発性メモリ等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００８３】
その他、断層画像生成システムを構成する各装置の細部構成及び細部動作に関しても、発明の趣旨を逸脱することのない範囲で適宜変更可能である。
【符号の説明】
【００８４】
１００  断層画像生成システム
１  放射線撮影装置
５０  撮影台
５１  検出器装填部
５２  装填部支持部
５３  搬送装置
５４  被写体台
６０  放射線照射装置
６１  放射線源
６２  操作卓
６３  曝射スイッチ
６４  放射線源移動機構
８０  制御ＢＯＸ
９０  コンソール
９１  制御部
９２  操作部
９３  表示部
９４  通信部
９５  記憶部
９６  バス
Ｆ  放射線検出器
Ｈ  被写体
【図１】
0006398685.tif 000002
【図２】
0006398685.tif 000003
【図３】
0006398685.tif 000004
【図４】
0006398685.tif 000005
【図５】
0006398685.tif 000006
【図６】
0006398685.tif 000007
【図７】
0006398685.tif 000008
【図８】
0006398685.tif 000009
【図９】
0006398685.tif 000010
【図１０】
0006398685.tif 000011
【図１１】
0006398685.tif 000012
【図１２】
0006398685.tif 000013